(57)【特許請求の範囲】
【請求項１】
自装置を含む複数の子局が光ファイバを介して接続され、上り方向及び下り方向の少なくとも一方向の通信を波長の異なる複数の光信号を用いて行う親局から、自装置に割り当てられた波長に関する情報を含む制御信号を受信し、受信した前記制御信号に基づく波長の光信号を用いて前記親局との通信を行う光送受信部と、
前記制御信号に基づき自装置に割り当てられた波長が切り替えられると、当該切り替え後に検出した下り方向の不連続である光信号に含まれるデータ信号からクロックを抽出するクロック抽出部と、
前記クロック抽出部で抽出したクロックに基づき、前記親局への送信データを生成する生成部と、
を備えた光通信装置。
【請求項２】
前記クロック抽出部は、自装置に割り当てられた波長が切り替えられた後における予め定めたトリガ信号を元に前記クロックを抽出する請求項１に記載の光通信装置。
【請求項３】
前記トリガ信号は、波長切換後に発生するＬＯＳ信号、前記データ信号のデコードエラーを含むエラー信号、及びＦＥＣ信号の少なくとも一つの信号である請求項２に記載の光通信装置。
【請求項４】
複数の子局が光ファイバを介して接続され、上下方向の少なくとも一方向通信を複数の波長を用いて行う親局と、
請求項１〜３の何れか１項に記載の光通信装置と、
前記親局と前記光通信装置との間に設けられ、前記親局及び前記子局の各々と光ファイバを介して接続された光スプリッタと、
を備えた光通信ネットワークシステム。
【発明の詳細な説明】
【技術分野】
【０００１】
本発明は、ＩＥＥＥ（Institute of Electrical and Electric Engineers）やＩＴＵ−Ｔ（International Telecommunication Union Telecommunication Standardization Sector）で規定されたＰＯＮ（Passive Optical Network）システム等で用いられる光通信装置及び光通信ネットワークシステムに関する。
【背景技術】
【０００２】
近年、モバイルサービスのブロードバンド化がますます促進され、無線ネットワークの帯域不足を解消するためのモバイルバックホールとして、光アクセスネットワークへの役割が重要となりつつある。
【０００３】
光アクセスの動向としては、１０Ｇ−ＥＰＯＮ（IEEE Standard 802.3av）と並行して、ＸＧ−ＰＯＮ（ITU-T  G.987）が標準化されており、今後、１０Ｇ[bps]ベースのＰＯＮシステムが様々なアクセスサービスを牽引すると期待されている。
【０００４】
さらに、４０Ｇ[bps]級のＮＧ−ＰＯＮ２がＦＳＡＮ（Full Service Access Network）／ＩＴＵ−Ｔで議論され、ＴＤＭ（Time Division Multiplexing） とＷＤＭ（Wavelength Division Multiplexing） のハイブリッドであるＴＷＤＭ−ＰＯＮ（ITU-T  G.989）が一つの方式として採用されている。
【０００５】
ＰＯＮは局舎に設置されるＯＬＴ（Optical Line Terminal）とユーザ宅内に設置されるＯＮＵ（Optical Network Unit）、及び局舎からユーザまで敷設された光ファイバと、光ファイバを分岐する光スプリッタにて構成される。一般的な１Ｇ[bps]や１０Ｇ[bps]ベースのＰＯＮの構成例を図５（Ａ）に示し、４０Ｇ[bps]ベースのＴＷＤＭ−ＰＯＮの構成例を図５（Ｂ）に示す。共にＯＬＴ１１２は光ファイバ１１８及び光スプリッタ１１６を介してＯＮＵ１１４と接続され、光スプリッタ１１６が設置されることにより１つのＯＬＴ１１２に複数のＯＮＵ１１４が接続されるネットワーク形態である。ＯＬＴ１１２はＯＮＵ１１４からの信号を上位の装置もしくは上位ネットワーク１２０へ転送し、逆に上位の装置もしくは上位ネットワーク１２０からの信号をＯＮＵ１１４へ転送する機能を有している。また、ＰＯＮ区間やＯＮＵ１１４の制御監視機能についても有している。ＯＮＵ１１４はＯＬＴ１１２からの信号をユーザ端末１２２へ転送し、逆にユーザ端末１２２からの信号をＯＬＴ１１２へ転送する機能を有している。
【０００６】
特許文献１や特許文献２に記載されるような、１０Ｇ−ＥＰＯＮやＴＷＤＭ−ＰＯＮシステムでは、ＰＯＮ区間の下り通信（ＯＬＴからＯＮＵへの通信）は、ＴＤＭにより、各ＯＮＵへの信号が時間的に重ならないように連続的に多重化されている。ＯＮＵはＯＬＴのクロック周波数に従属するために、ＯＬＴより受信した光信号を電気信号に変換したのち、ＣＤＲ（Clock  Data  Recovery）にてクロックの抽出を行っている。
【０００７】
ＰＯＮ区間の上り通信（ＯＮＵからＯＬＴへの通信）は、光スプリッタで合波するため、各ＯＮＵからの上り信号がスプリッタにて衝突しないように制御することが必要であり、ＯＬＴから各ＯＮＵに対して送信許可時間を通知することでＯＮＵの信号出力タイミングを制御し、各ＯＮＵからの上り信号を時間的に分離するＴＤＭＡ (Time Division Multiple Access)によって多重化している。ＯＬＴでは、各ＯＮＵからの信号間に無信号区間が生じ、下り通信とは異なり連続信号とはならないので、クロック抽出には、例えば、特許文献３に記載されるような、入力されたバーストデータ信号の位相情報から高速にクロック信号を抽出可能なバースト信号に対応したＣＤＲが用いられる。
【０００８】
また、ＯＬＴとＯＮＵの間で通信ができるようになるためにはＯＬＴのＯＮＵ登録シーケンスを実施する必要がある。ＯＬＴからは新規登録を受け付ける制御メッセージ（Discovery Gate）を定期的に送信しているため、ＯＮＵがＰＯＮに接続されるとＯＮＵは受信した制御メッセージ（Discovery Gate）に対し、ＯＬＴへの登録要求（Register Request）をＯＬＴに対し送信する。そうすることで通信を行うＯＮＵの登録を行う。この一連の動作においてＯＬＴはＯＮＵとの間のフレーム往復時間であるＲＴＴ（Round Trip Time）測定を行い、ＯＮＵはＯＬＴとの時刻同期を行う。ＲＴＴ測定および時刻同期は定期的に行われ、差分が生じた場合には随時補正が行われる。
【０００９】
一方、特許文献１に記載されるような信頼性の向上を目的に冗長構成の検討が行われている。特許文献１に示される信頼性の向上方法は、通信路切り替え（プロテクション）実施時にＯＬＴとＯＮＵの時刻同期が外れることによるエラー（タイムスタンプドリフトエラー）の発出を、ＯＬＴからＯＮＵに対し送信する制御パケットによってマスクすることで、ＯＬＴがＯＮＵを登録するシーケンスの再実行が実施されないようにし、回復時間の短縮を図るものである。  
【先行技術文献】
【特許文献】
【００１０】
【特許文献１】特開２０１３−１１０７７２号公報
【特許文献２】特開２０１１−５５４０７号公報
【特許文献３】特開２０１２−２３６５７号公報
【発明の概要】
【発明が解決しようとする課題】
【００１１】
しかしながら、ＴＷＤＭ−ＰＯＮ（WDM/TDM-PON）システムにおいては、ＯＬＴに含まれるＯＳＵ（Optical Subscriber Unit）の故障によるプロテクション動作や収容効率改善（ロードバランシング）のため、動的な波長変更を実施して接続するＯＳＵとＯＮＵの組み合わせを変更することがある。通常下り信号は途切れることがなく連続であるが、波長の切り替え時は不連続（光信号の断続とそれによるクロックの位相飛び）が発生するため、ＯＮＵのＣＤＲでクロック抽出の擾乱が発生する。そのためＯＮＵは波長切り替え後、新しいＯＳＵのクロック周波数に追従するまでに時間を要していた。
【００１２】
また、サービスの高品質化のためには、波長の切り替え処理等の条件変更を行う場合に、通信は無瞬断であることが望ましいが、波長の切り替え処理時間などの条件変更時の処理時間等に比例してデータ蓄積量が増加することになり、メモリの増大を招いてしまう。このメモリの増大は、コストアップに繋がる。
【００１３】
本発明は、上記事実を考慮して成されたもので、クロックを再抽出する際のクロック抽出・同期時間の短縮を図ることを目的とする。
【課題を解決するための手段】
【００１４】
本発明に係る光通信装置は、自装置を含む複数の子局が光ファイバを介して接続され、上り方向及び下り方向の少なくとも一方向の通信を波長の異なる複数の光信号を用いて行う親局から、自装置に割り当てられた波長に関する情報を含む制御信号を受信し、受信した前記制御信号に基づく波長の光信号を用いて前記親局との通信を行う光送受信部と、前記制御信号に基づき自装置に割り当てられた波長が切替えられると、当該切り替え後に検出した下り方向の不連続である光信号に含まれるデータ信号からクロックを抽出するクロック抽出部と、前記クロック抽出部で抽出したクロックに基づき、前記親局への送信データを生成する生成部と、を備えている。
【００１５】
また、本発明に係る光通信ネットワークシステムは、複数の子局が光ファイバを介して接続され、上下方向の少なくとも一方向通信を複数の波長を用いて行う親局と、上記光通信装置と、前記親局と前記光通信装置との間に設けられ、前記親局及び前記子局の各々と光ファイバを介して接続された光スプリッタと、を備えている。
【発明の効果】
【００１６】
本発明によれば、クロックを再抽出する際のクロック抽出・同期時間の短縮を図ることができる。
【図面の簡単な説明】
【００１７】
【図１】本実施形態に係る光通信ネットワークシステムの概略構成を示すブロック図である。
【図２】本実施形態に係る光通信ネットワークシステムのＯＬＴの構成を示すブロック図である。
【図３】本実施形態に係る光通信ネットワークシステムのＯＮＵの構成を示すブロック図である。
【図４】本実施形態に係る光通信ネットワークシステムの動作の一例を説明するための図である。
【図５】（Ａ）は一般的な１Ｇや１０ＧベースのＰＯＮの構成例を示す図であり、（Ｂ）は４０ＧベースのＴＷＤＭ−ＰＯＮの構成例を示す図である。
【発明を実施するための形態】
【００１８】
以下、本実施の形態について図面を参照しつつ説明する。図１は、本実施形態に係る光通信ネットワークシステムの概略構成を示す図である。なお、本実施形態に係る光通信ネットワークシステム１０は、ＴＷＤＭ−ＰＯＮ方式のＰＯＮシステムが採用される例を示す。
【００１９】
本実施形態に係る光通信ネットワークシステム１０は、ＯＬＴ１２、ＯＮＵ１４、光スプリッタ１６、及び光ファイバ１８を有する。
【００２０】
ＯＬＴ１２は、局舎内に設置され、ＯＮＵ１４は、ユーザ宅内に設置される。ＯＬＴ１２とＯＮＵ１４間に光スプリッタ１６が設けられている。光スプリッタ１６は、光信号の分岐及び結合を行うデバイスであり、ＯＬＴ１２と光スプリッタ１６、光スプリッタ１６とＯＮＵ１４との間が各々光ファイバ１８によって接続されている。
【００２１】
すなわち、ＯＬＴ１２は、光ファイバ１８及び光スプリッタ１６を介して複数のＯＮＵ１４と接続されており、光スプリッタ１６により、１つのＯＬＴ１２と複数のＯＮＵ１４とが接続される形態とされている。
【００２２】
ＯＮＵ１４は、本発明の光通信装置に相当し、ＯＬＴ１２からの光信号を電気信号に変換すると共に、ユーザの端末装置（例えば、パーソナルコンピュータ等）からの電気信号を光信号に変換してＯＬＴ１２へ転送する役割を有する。ＯＬＴ１２は、ＯＮＵ１４からの光信号の上位装置（例えば、インターネット等）への転送、上位装置からの信号のＯＮＵ１４への転送、ＰＯＮ区間やＯＮＵ１４の制御監視をする役割を有する。
【００２３】
図２は、本実施形態に係る光通信ネットワークシステム１０のＯＬＴ１２の構成を示すブロック図である。
【００２４】
ＯＬＴ１２は、上位ネットワークインタフェース部２２、ＯＬＴ受信処理部２４、ＯＬＴ送信処理部２６、ＯＬＴ制御部２８、及び複数のＯＳＵ３０を備えている。各ＯＳＵ３０は、同一構成であり、各々制御フレーム処理部３２、ＰＯＮ送信バッファ部３４、ＰＯＮ送信処理部３６、光送受信部３８、クロック抽出部４０、及びＰＯＮ受信処理部４２を備えている。
【００２５】
上位ネットワークインタフェース部２２は、上位のネットワークからの信号を終端し、ＯＬＴ受信処理部２４へ終端した信号をデータフレーム（データ信号）として出力する。また、上位ネットワークインタフェース部２２は、各ＯＳＵ３０からのデータフレームが束ねられた信号を受信し、上位のネットワークのインタフェースに対応するフォーマットに変換し出力する。
【００２６】
ＯＬＴ受信処理部２４は、上位ネットワークインタフェース部２２で終端された信号をＯＬＴ制御部２８より指示された情報を元に各ＯＳＵ３０への振り分けを行う。例えば、ＯＮＵ１４とユーザに割り当てられた仮想的な識別番号（ＶＩＤ：VLAN Identifier）の関連付けを予め登録し、登録されたＯＮＵ１４とリンクしたＯＳＵ３０へ信号を出力するように制御される。
【００２７】
ＯＬＴ送信処理部２６は、メモリを有し、各ＯＳＵ３０からのデータフレームを多重して上位ネットワークインタフェース部２２へ出力するために、各ＯＳＵ３０からのデータフレームをメモリに蓄積しフレームの蓄積状態によって読出し制御を実施して多重する。
【００２８】
ＯＬＴ制御部２８は、ＯＬＴ１２の監視制御を行うが、特に、ＯＬＴ受信処理部２４へのＯＳＵ３０のデータ振り分け指示や、各ＯＳＵ３０からの制御情報の収集及び制御情報の挿入指示を行う。ここで、制御情報とは、例えば、ＯＬＴ１２がＯＮＵ１４を新規登録する際のシーケンス処理で使用されるＯＬＴ１２が未登録のＯＮＵ１４に対し登録要求を行うタイミングを知らせるDiscovery Gate、ＯＮＵ１４がＯＬＴ１２に対し登録の要求を行うRegister Request、ＯＬＴ１２がＯＮＵ１４の登録要求を受け付けた応答であるRegister、Registerの受信応答であるRegister ACK、ＯＮＵ１４のデータ送信タイミングを示す情報及び／又はそのデータ量を通知するGate、ＯＮＵ１４のデータ送信要求量を示したReport、波長切り替え指示、ＯＮＵ１４がＯＬＴ１２と時刻同期するための時刻情報などである。
【００２９】
制御フレーム処理部３２は、ＯＬＴ制御部２８からの情報を元に波長切り替え制御フレームの生成や、ＯＮＵ登録のためのシーケンスで使用される制御フレーム情報の生成を行う。また、ＯＮＵ１４からの制御フレームの情報をＯＬＴ制御部２８へ通知する。
【００３０】
ＰＯＮ送信バッファ部３４は、ＯＬＴ受信処理部２４からのデータを蓄積するためのメモリとして機能する。波長切り替え処理を行っている間は、送信ができなくなるため、ＰＯＮ送信バッファ部３４に蓄積してデータの欠落を防止している。また、後段のＰＯＮ送信処理部３６では、制御フレームの多重が行われるため、多重処理の遅延を吸収する役割も有する。
【００３１】
ＰＯＮ送信処理部３６は、上述のように、制御フレーム処理部３２からの制御フレームとＰＯＮ送信バッファ部３４からのデータフレームを多重し、光送受信部３８へデータの出力を行う。
【００３２】
ＰＯＮ受信処理部４２は、クロック抽出部４０によってクロック抽出された信号から制御フレームとデータフレームを判別し、制御フレームの場合にはそのフレームを抜き出して制御フレーム処理部３２へ出力する。制御フレームが抜き出された信号はデータフレームのみとなり、ＯＬＴ送信処理部２６へ出力される。
【００３３】
クロック抽出部４０は、不連続な信号（所謂、バースト信号）に対応したクロック抽出方法でクロックを抽出する。具体的には、バースト信号からクロックを抽出するバーストＣＤＲで構成されている。クロック抽出部４０は、光送受信部３８からの上りシリアル電気信号からクロックを抽出し、ＯＳＵ３０の上りデータ処理のクロックとして使用する。
【００３４】
光送受信部３８は、ＯＬＴ制御部２８からの指示により波長が設定され、ＰＯＮ送信処理部３６からのシリアル電気信号を設定された波長の光信号に変換して出力する。また、光送受信部３８は、ＯＮＵ１４から受信した光信号に対し、波長フィルタを通して設定された波長の光信号のみを受信して、光信号から電気信号に変換し、変換した電気信号をクロック抽出部４０へ出力する。
【００３５】
図３は、本実施形態に係る光通信ネットワークシステム１０のＯＮＵ１４の構成を示すブロック図である。
【００３６】
ＯＮＵ１４は、ユーザインタフェース部４４、ＰＯＮ送信バッファ部４６、ＰＯＮ送信処理部４８、光送受信部５０、クロック抽出部５２、ＰＯＮ受信処理部５４、及びＯＮＵ制御部５６を備えている。
【００３７】
ユーザインタフェース部４４は、ユーザの端末装置からの信号を終端し、ＰＯＮ送信バッファ部４６へデータフレームを出力する。また、ＰＯＮ受信処理部５４にて制御フレームが抜き出されたデータフレームを受信し、受信したデータフレームをユーザの端末装置のインタフェースに変換して出力する。
【００３８】
ＰＯＮ送信バッファ部４６は、ユーザインタフェース部４４からのデータを蓄積するためのメモリとして機能する。波長切り替え処理の間は、送信ができなくなるため、ＰＯＮ送信バッファ部４６に蓄積してデータの欠落を防止している。また、後段のＰＯＮ送信処理部４８では、制御フレームの多重が行われるため、多重処理の遅延を吸収する役割も有する。
【００３９】
ＰＯＮ送信処理部４８は、上述のようにＯＮＵ制御部５６からの制御フレームとＰＯＮ送信バッファ部４６からのデータフレームを多重してＯＬＴ１２への送信データを生成し光送受信部５０へ出力する。このとき、ＰＯＮ送信処理部４８によるＯＬＴ１２への送信データの生成は、クロック抽出部５２によって抽出されたクロックに基づいて行われる。
【００４０】
光送受信部５０は、ＯＮＵ制御部５６からの指示により波長が設定され、ＰＯＮ送信処理部４８からのシリアル電気信号を設定された波長の光信号に変換して出力する。また、光送受信部５０は、ＯＬＴ１２からの光信号に対し、波長フィルタを通して設定された波長の光信号のみを受信して、受信した光信号から電気信号に変換し、変換した電気信号をクロック抽出部５２へ出力する。
【００４１】
クロック抽出部５２は、従来とは異なり、バースト信号に対応したクロック抽出方法でクロックを抽出する。すなわち、ＯＬＴと同等のバーストＣＤＲで構成されており、バースト信号からクロックの抽出が可能である。クロック抽出部５２は、光送受信部５０からの下りシリアル電気信号からクロックを抽出し、ＯＮＵ１４のデータ処理のクロックとして使用するようになっている。
【００４２】
ＰＯＮ受信処理部５４は、クロック抽出された信号から制御フレームとデータフレームを判別し、制御フレームの場合にはそのフレームを抜き出してＯＮＵ制御部５６へ出力する。制御フレームが抜き出された信号は、データフレームのみとなり、ユーザインタフェース部４４へと出力される。
【００４３】
ＯＮＵ制御部５６は、ＯＬＴ１２からの制御情報の収集及び制御情報の挿入指示を行う。制御情報とは、上述したように、例えば、ＯＬＴ１２がＯＮＵ１４を新規登録する際のシーケンス処理で使用される制御情報（Discovery Gate、Register Request、Register、Register ACK、Gate、Report）、波長切り替え指示、時刻情報などである。
【００４４】
続いて、上述のように構成された本実施形態に係る光通信ネットワークシステム１０の動作について説明する。
【００４５】
以下では、一例として、図４に示すように、ＯＬＴ１２に光スプリッタ１６を介して３つのＯＮＵ１４（ＯＮＵ１４Ａ〜１４Ｃ）が接続された場合の動作例を説明する。
【００４６】
図４の例において、ＯＬＴ１２は２つのＯＳＵ３０（ＯＳＵ３０Ａ、ＯＳＵ３０Ｂ）を有して、ＯＳＵ３０ＡにＯＮＵ１４Ａ、及びＯＮＵ１４Ｂが登録されていて、上り波長ａ、下り波長ｂにて通信を行っていたとする。また、ＯＳＵ３０ＢにはＯＮＵ１４Ｃが登録され、上り波長ｃ、下り波長ｄにて通信を行っていたとする。この状態でＯＮＵ１４ＣをＯＳＵ３０Ｂの配下からＯＳＵ３０Ａの配下に変更するものとする。
【００４７】
ＯＬＴ制御部２８よりＯＬＴ受信処理部２４に対して上位ネットワーク２０からのデータフレームの出力先をＯＳＵ３０ＢからＯＳＵ３０Ａへ変更するように指示を行い、切り替えはフレームを境に実施される。
【００４８】
ＯＳＵ３０Ｂは、データフレームの出力先がＯＳＵ３０ＢからＯＳＵ３０Ａに切り替えられると、ＯＬＴ受信処理部２４からのデータフレームが入力されなくなり、ＯＳＵ３０ＢのＰＯＮ送信バッファ部３４内に蓄積されたデータフレームを送信する。
【００４９】
ＯＬＴ制御部２８は、ＯＳＵ３０ＢのＰＯＮ送信バッファ部３４に蓄積されたデータフレームが全て送信された後に、ＯＳＵ３０Ｂの制御フレーム処理部３２に対してＯＮＵ１４Ｃの送信波長をａに、受信波長をｂに各々変更する制御フレームの送信指示を行う。
【００５０】
また、ＯＳＵ３０Ａは、ＯＬＴ受信処理部２４からデータフレームが入力されるが、ＯＮＵ１４Ｃとの通信が再開されるまではＯＳＵ３０ＡのＰＯＮ送信バッファ部３４にデータフレームを蓄積する。ＯＳＵ３０ＡのＰＯＮ送信バッファ部３４からの読出し再開は、ＯＮＵ１４Ｃからの波長切り替え完了を示す制御フレーム受信後に行われる。
【００５１】
一方、ＯＮＵ１４Ｃでは、波長変更の制御フレームを受信すると、ＯＮＵ１４ＣのＰＯＮ受信処理部５４で制御フレームが抜き出され、さらにＯＮＵ制御部５６で解析され、ＯＬＴ１２からの波長変更指示を認識する。それから、フレームを境に一旦ＯＮＵ１４ＣのＰＯＮ送信バッファ部４６からのデータフレームの読出しを停止する。停止する前までにＯＮＵ１４ＣのＰＯＮ送信バッファ部４６より読出したデータフレームは、ＯＳＵ３０Ｂの受信波長ｃにて送信し、読出したデータを全て送出した後に、波長変更が完了したことを通知する制御フレームを送信する。これと同時にＯＮＵ制御部５６は光送受信部５０に対して上り波長ａでの発光と、下り波長ｂでの受光を指示する。この時、ＯＮＵ１４ＣのＰＯＮ送信バッファ部４６では、ＯＳＵ３０Ａとの通信が再開されるまでデータフレームの蓄積を行っている。また、受信波長が変更されることから、クロック抽出部５２でクロックを抽出する際に、バースト信号から抽出することになるが、本実施形態では、クロック抽出部５２では、バーストＣＤＲでクロックを再抽出するので、バースト信号からのクロックの再抽出が可能となる。
【００５２】
また、バースト信号からクロックを再抽出することでクロック抽出が乱れるため、本実施形態では、予め定めたトリガ信号（例えば、波長変更指示後の光送受信部５０からのＬＯＳ（Loss Of Signal）信号やデータフレームのデコードエラー等のエラー信号など）を元にクロックの再抽出指示を行う。これにより、クロック抽出部５２では新しい波長で受信した光信号より高速にクロックを再抽出することが可能となり、クロックの乱れる時間の短縮を図ることができる。
【００５３】
以上のように、本実施形態に係る光通信ネットワークシステム１０では、ＯＮＵ１４のクロック再生にバーストＣＤＲを使用して、波長切り替え時のクロックの乱れる時間を短くし、波長の切り替えに要する時間を短縮することができる。これにより、システムの信頼性の向上が期待できる。
【００５４】
また、波長の切り替えに要する時間が短縮されることで、無瞬断切り替えのためのデータバッファ蓄積時間を短くことができ、バッファ容量を大きくする必要がないので、コスト低減が可能となる。
【００５５】
なお、上記の実施形態では、予め定めたトリガ信号（一例としてＬＯＳ信号やエラー信号）でクロックの再抽出を行う例を説明したが、これに限るものではない。例えば、ＦＥＣ（Forward Error Correction）信号などの他の信号を元にクロックの再抽出を行うようにしてもよい。
【００５６】
また、上記の実施形態では、ＴＷＤＭ−ＰＯＮシステムのＯＮＵ１４における波長切り替え時を例に挙げて説明したが、これに限るものではなく、波長切り替え以外のクロックを再抽出する必要がある場合としてもよい。例えば、波長切り替えではなく、ＯＮＵ１４へのバーストＣＤＲ適用によって１０−ＥＰＯＮ やＧＥ−ＰＯＮなどのプロテクション時の早期普及にも適用することが可能である。
【００５７】
また、上記の実施形態では、ＴＷＤＭ−ＰＯＮを例として、ＯＮＵ１４の上下方向の通信を複数の波長を用いて行う場合について説明したが、これに限るものではない。例えば、上り方向又は下り方向の通信を複数の波長を用いて行う場合としてもよい。
【符号の説明】
【００５８】
１０    光通信ネットワークシステム
１２    ＯＬＴ
１４    ＯＮＵ
１６    光スプリッタ
１８    光ファイバ
４８    ＰＯＮ送信処理部
５０    光送受信部
５２    クロック抽出部
【図１】
0006424545.tif 000002
【図２】
0006424545.tif 000003
【図３】
0006424545.tif 000004
【図４】
0006424545.tif 000005
【図５】
0006424545.tif 000006